(57)【要約】      （修正有）【課題】組み合わせ構造を採用し、多色及び保温等の効果を兼ね備え、従来の二重ボトルが単調であるという欠点を改善する二重ボトルを提供する。【解決手段】開口端３２を有する外ビン３０と、出入口４２を有し、且つ開口端３２から外ビン３０に納置される内ビン４０と、内ビン４０及び外ビン３０が相互に隔てられることで形成される空間１２と、内ビン４０と外ビン３０との間に位置され、空間１２に対して密閉作用を発生させる漏水防止リング４８とを備える。これにより、液体が漏水防止リング４８と外ビン３０との間から漏れ出しにくくなり、外ビン３０が透明であるため内ビン４０の色が観察でき、多色な表現及び保温性も高い等の効果を兼ね備える。【選択図】図２
0003199734.tif 000002
【実用新案登録請求の範囲】
【請求項１】
開口端を有する外ビンと、
出入口を有し、開口端から外ビンに納置される内ビンと、
内ビンと外ビンとが隔てられることで形成される空間と、
内ビンと外ビンとの間で隔てられて形成される空間を密閉させるための漏水防止リングとを備えることを特徴とする二重ボトル。
【請求項２】
前記漏水防止リングは内ビンと外ビンとの間で独立するリング体であることを特徴とする、請求項１記載の二重ボトル。
【請求項３】
前記漏水防止リングは内ビン及び外ビンの内の何れか１つと一体になるように設計されるリング体であることを特徴とする、請求項１記載の二重ボトル。
【請求項４】
前記漏水防止リングは０．５ｍｍ〜３０ｍｍの厚さを有する円周面であることを特徴とする、請求項１記載の二重ボトル。
【請求項５】
前記内ビン及び外ビンから内ビンの水位を目視できることを特徴とする、請求項１記載の二重ボトル。
【請求項６】
内ビン及び外ビンを隔てる空間に適用される空気抜き構造をさらに備え、空間の気体が空気抜き構造を通して外に放出されることを特徴とする、請求項１記載の二重ボトル。
【請求項７】
前記空気抜き構造は孔、溝部、或いは凹型孔の内の何れか１つであり、内ビン及び外ビンの内の何れか１つに形成されることを特徴とする、請求項６記載の二重ボトル。
【請求項８】
内ビンと外ビンとの間に設けられる係合構造をさらに備えることを特徴とする、請求項１記載の二重ボトル。
【請求項９】
前記係合構造は、
内ビン、外ビン、及び漏水防止リングの内の何れか１つに設けられる凹部と、
内ビン、外ビン、及び漏水防止リングの内の何れか１つに設けられると共に凹部に挿入される凸部とを備えることを特徴とする、請求項８記載の二重ボトル。
【請求項１０】
内ビン、外ビン、及び漏水防止リングの間を密封させる媒体をさらに有することを特徴とする、請求項１記載の二重ボトル。
【考案の詳細な説明】
【技術分野】
【０００１】
本考案は、二重ボトルに関する。
【背景技術】
【０００２】
二重ボトルまたは魔法瓶と呼ばれるボトルは、断熱による保温効果を具備し、やけどを負う危険性が低く、広く愛用されている容器である。
【０００３】
初期の魔法瓶は内ビンと外ビンの２つのビンを備えている。外ビンはステンレス材料で製造され、内ビンはガラスであり且つ表面には反射層（例えば、銀や水銀）が敷設され、熱を反射することで保温効果を得る。
【０００４】
なお、最近の魔法瓶は二重構造を有し、内壁と、外壁と、内壁と外壁との間に介在する断熱空間とを備える。内壁及び外壁には多くの場合ステンレス材料が採用され、断熱空間を真空状態にすることで空気が熱を伝える媒体とならないようにしている。
【０００５】
さらに、特許文献１に記載されている魔法瓶は、高分子ポリマー（例えば、プラスチック）で製造される二重のコップ体であり、コップ体の内壁及び外壁の間は断熱空間になる。内壁及び外壁の材質は同じであり、両者は高周波設備により溶融されて一体化する。
【先行技術文献】
【特許文献】
【０００６】
【特許文献１】台湾実用新案第Ｍ４０５２２１号公報
【考案の概要】
【考案が解決しようとする課題】
【０００７】
しかしながら、前述した従来の技術では、これらの魔法瓶は通常単色である。よって、二重ボトルの単調な色合いを如何に改善させるかが、本考案が解決を目指す課題である。
【０００８】
そこで、本考案者は上記の欠点が改善可能と考え、鋭意検討を重ねた結果、合理的設計で上記の課題を効果的に改善する本考案の提案に到った。
【０００９】
本考案は、以上の従来技術の課題を解決する為になされたものである。即ち、本考案の目的は、二重ボトルを提供する。即ち、組み合わせ構造を採用し、多色及び保温等の効果を兼ね備え、従来の二重ボトルが単調であるという欠点を改善させる。
【課題を解決するための手段】
【００１０】
上述した課題を解決し、目的を達成するために、本考案に係る二重ボトルは、
開口端を有する外ビンと、出入口を有し、開口端から外ビンに納置される内ビンと、内ビンと外ビンとが隔てられることで形成される空間と、内ビンと外ビンとの間で隔てられて形成される空間を密閉させるための漏水防止リングとを備えることを特徴とする。
【００１１】
本考案の二重ボトルにおいて、上述の内ビン及び外ビンは透明である。前記漏水防止リングは内ビンと外ビンとの間で独立するリング体であり、内ビン及び外ビンの内の何れか１つと一体になる設計のリング体でもよい。また、前記漏水防止リングは０．５〜３０ｍｍの厚さを有する円周面である。
【００１２】
また、上述の二重ボトルは空気抜き構造及び係合構造をさらに備える。前記空気抜き構造は内ビンと外ビンとの間に設けられ、これは孔、溝部、或いは凹型孔から任意で選択され、内ビン及び外ビンの内の何れか１に形成される。前記係合構造は、内ビン、外ビン、及び漏水防止リングの内の何れか１つに設けられる凹部と、内ビン、外ビン、及び漏水防止リングの内の何れか１に設けられると共に凹部に挿入される凸部とを備える。
【考案の効果】
【００１３】
こうすれば、外ビンが透明であるため内ビンの色が目視でき、多色及び保温等の効果を兼ね備えて、従来のボトルが単調であるという欠点を改善できる。また、外ビンが内ビンに被覆することで内ビンと外ビンとで隔てられる空間の容積を縮減させ、空気抜き構造が気圧を解放する経路となり、さらに係合構造が内ビン及び外ビンを結合させることで、内ビンと外ビンとが分離するのを防止させる。
【図面の簡単な説明】
【００１４】
【図１】本考案の第１実施形態による二重ボトルを示す展開図である。
【図２】図１に示す二重ボトルを組み合わせの後の内の何れか１部の断面図である。
【図３】本考案の第２実施形態による二重ボトルを示す展開図である。
【図４】図３に示す二重ボトルを組み合わせの後の内の何れか１部の断面図である。
【図５】本考案の第３実施形態による二重ボトルの内の何れか１部の構成の断面図である。
【図６】本考案の第４実施形態による二重ボトルの内の何れか１部の断面図である。
【考案を実施するための形態】
【００１５】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１６】
＜第１実施形態＞
以下、本考案の具体的な実施形態について添付図面に基づき説明する。図１及び図２はボトル１０の第１実施形態の具体的な構造である。前記ボトル１０は図１の破線で示す蓋体２０と、外ビン３０と、内ビン４０とを備える。上述の蓋体２０の内部には一段の内ねじ山を有する（図示せず）。
【００１７】
前記外ビン３０は透明な円形の容器であり、開口端３２及び底部３４を有し、且つ外ビン３０の開口端３２に隣接する箇所には２つの凹部３６が設けられる。外ビン３０の外側には滑り止めのための線紋が形成される（図示せず）。本実施態様では、前記外ビン３０の底部３４は封鎖されている。ある実施形態では、外ビン３０の底部３４は開放されている。
【００１８】
なお、上述の凹部３６は、直径が外ビン３０の壁面の長孔を貫通するようになる。当然ながら、凹部３６が長形の溝部或いは弧形の溝部であり且つ外ビン３０の内壁に形成されるものも、本実施形態の範囲内に含まれる。
【００１９】
前記内ビン４０は円筒であり、出入口４２及び封鎖部４４を備え、液体が出入口４２から内ビン４０に注入され、或いは出入口４２から外に流出される。内ビン４０は漏水防止リング４８及び結合段４６を有する。上述の漏水防止リング４８は内ビン４０の外側の出入口４２に隣接する箇所から突出し、且つ直径が漏水防止リング４８の外部に形成される２つの凸部４１に対応する。
【００２０】
本実施態様では、上述の凸部４１の形状は凹部３６の矩形ブロックに大方符合する。ある実施形態では、凸部４１は鉤状の角ブロックである。
【００２１】
上述の結合段４６は一段の外ねじ山を指し、蓋体２０の内ねじ山に螺合されると共に取り外しも可能になる。
【００２２】
内ビン４０が外ビン３０に納置されると、漏水防止リング４８の外径が外ビン３０の開口端３２の内径より大きい上、漏水防止リング４８が外ビン３０の内壁の開口端３２に隣接する箇所に緊結されるため、外ビン３０の内壁及び内ビン４０の外側を隔てる空間１２が形成されて密閉作用を提供し、液体がボトル１０の内ビン３０及び外ビン４０に囲まれた空間１２に漏れ出さないようにする。
【００２３】
外ビン３０が内ビン４０に被覆されると、内ビン３０と外ビン４０とを隔てる空間１２の容積が縮減され、気体が凹部３６に流入して気圧を解放する経路となる。これにより、凹部３６がボトル１０の空気抜き構造と同等になる。
【００２４】
また、漏水防止リング４８の厚さは内ビン４０の他の部位の厚さより薄く、凸部４１が復位するのに必要な作用力を提供する。凸部４１が圧迫されて外ビン３０の開口端３２を通過し、復位して対応する凹部３６に係合されることで係合構造が形成され、内ビン３０及び外ビン４０を結合させて脱離しにくくさせる。
【００２５】
これにより、内ビン３０及び外ビン４０が透明なため、内ビン４０の色が目視でき、内ビン４０の液体の容量（或いは水位）を目測しやすくなり、多色及び保温等の効果を兼ね備えて、従来のボトルが単調であるという欠点を改善させる。
＜第２実施形態＞
【００２６】
図３及び図４はボトル１０の第２実施形態である。構造は第１実施形態とほぼ同じであり、差異は、まず係合構造が無く、漏水防止リング４８が外ビン３０の内壁の開口端３２に近接する箇所に緊結される点である。
【００２７】
次に、前記空気抜き構造は若干の溝部５０であり、これら溝部５０が外ビン３０の内面の開口端３２に近接される箇所に形成される。外ビン３０が内ビン４０に被覆する間に、内ビン３０及び外ビン４０を隔てる空間１２では気体が圧迫されて図４の矢印の方向に外に漏れ出し、気圧が解放される経路となる。
【００２８】
内ビン３０及び外ビン４０でボトル１０が構成された後、これら溝部５０が媒体により封鎖され、液体が溝部５０から内ビン３０及び外ビン４０で隔てられた空間１２に漏れ出すのを防ぐ。
＜第３実施形態＞
【００２９】
図５はボトル１０の第３実施形態である。構造は第２実施形態と概ね同様であり、差異は、まず、前記漏水防止リング４８が円周面であり、０．５ｍｍ〜３０ｍｍの厚さＷを有する点である。次に、前記空気抜き構造が外ビン３０の内面に設けられず、内ビン４０の外部に設けられる点である。確実な点は、空気抜き構造は漏水防止リング４８が外ビン３０に潜入する部位に形成される環状凹部５４であり、同様に内ビン３０及び外ビン４０により隔てられる空間１２の気圧を解放させる経路となる。
【００３０】
さらに、上述の媒体（図示せず）が漏水防止リング４８と外ビン３０との間に添加される。媒体は油や接着剤であり、漏水防止リング４８及び外ビン３０の密着度を高める。
＜第４実施形態＞
【００３１】
図６はボトル１０の第４実施形態である。構造は第１実施形態と大方同じであり、差異は、まず、漏水防止リング４８と凸部４１とが分離されるが、漏水防止リング４８が内ビン３０と外ビン４０とを隔てる空間１２に対する密閉作用を尚有する点である。続いて、凸部４１は長形構造であり、内ビン４０と一体化するように設計され、且つ漏水防止リング４８の上方に位置される。内ビン４０が外ビン３０に納置されると、凸部４１が凹部３６に係合される。
【００３２】
従って、本明細書に開示された実施例は、本考案を限定するものではなく、説明するためのものであり、このような実施例によって本考案の思想と範囲が限定されるものではない。本考案の範囲は特許請求の範囲により解釈すべきであり、それと同等の範囲内にある全ての技術は、本考案の権利範囲に含まれるものと解釈すべきである。
【符号の説明】
【００３３】
１０  ボトル
１２  空間
２０  蓋体
３０  外ビン
３２  開口端
３４  底部
３６  凹部
４０  内ビン
４１  凸部
４２  出入口
４４  封鎖部
４６  結合段
４８  漏水防止リング
５０  溝部
５４  環状凹部
ｗ    厚さ
【図１】
0003199734.tif 000003
【図２】
0003199734.tif 000004
【図３】
0003199734.tif 000005
【図４】
0003199734.tif 000006
【図５】
0003199734.tif 000007
【図６】
0003199734.tif 000008